(57)【要約】【課題】  装置間における表示情報の共有を、表示情報のセキュリティを保ったまま行うための技術を提供すること。【解決手段】  ディスプレイ装置Ｅ１０６は、ディスプレイ装置Ｆ１０７から表示情報を要求する旨を受信した場合には、認証を要求する旨を送信し、認証要求に応じてディスプレイ装置Ｆ１０７から送信された認証情報を認証した場合には、ディスプレイ装置Ｆ１０７に対して表示情報を送信する。【選択図】  図１
2006277342.tif 000002
【特許請求の範囲】
【請求項１】
ネットワークを介して互いにデータ通信が可能な情報処理装置群と、当該情報処理装置群のうち１以上と前記ネットワークを介さずにデータ通信が可能な第１の情報処理装置とで構成されているシステムであって、
前記情報処理装置群のうち、前記第１の情報処理装置とデータ通信が可能な第２の情報処理装置は、
前記第１の情報処理装置から表示情報を要求する旨を受信した場合には、前記第１の情報処理装置に対して、認証を要求する旨を送信する手段と、
前記認証要求に応じて前記第１の情報処理装置から送信された認証情報を受信する手段と、
前記認証情報を認証した場合には、前記第１の情報処理装置に対して表示情報を送信する手段と
を備え、
前記第１の情報処理装置は、
前記第２の情報処理装置に対して、表示情報を要求する旨を送信する手段と、
当該要求に応じて前記第２の情報処理装置から送信された認証要求に対して、認証情報を入力する手段と、
前記入力した認証情報を前記第２の情報処理装置に対して送信する手段と、
前記認証情報が前記第２の情報処理装置側で認証された場合に前記第２の情報処理装置から送信される表示情報を受信する手段と、
前記第２の情報処理装置から受信した表示情報を表示する表示手段と
を備えることを特徴とするシステム。
【請求項２】
更に、前記第２の情報処理装置は、
表示情報の送信先に対して予め設定したセキュリティーレベルと、当該セキュリティーレベルに応じた表示情報を定義する定義情報とのセットを、送信先毎に登録したテーブルを保持する手段と、
前記第１の情報処理装置に対して表示情報を送信する際には、前記テーブルを参照し、前記第１の情報処理装置に対して予め設定したセキュリティーレベルに応じた表示情報を特定する手段とを備え、
特定した表示情報を前記第１の情報処理装置に対して送信することを特徴とする請求項１に記載のシステム。
【請求項３】
更に、表示情報の送信先毎に、通信回数、通信時間、通信距離を含むパラメータに応じて、セキュリティーレベルを制御する手段を備えることを特徴とする請求項２に記載のシステム。
【請求項４】
前記第２の情報処理装置は、前記認証情報を認証した場合には、前記第１の情報処理装置が有するＶＲＡＭに対して表示情報を送信することを特徴とする請求項１乃至３の何れか１項に記載のシステム。
【請求項５】
ネットワークを介して互いにデータ通信が可能な情報処理装置群のうち１以上とネットワークを介さずにデータ通信が可能な情報処理装置であって、
前記情報処理装置群のうち、前記情報処理装置とデータ通信が可能な他情報処理装置に対して、表示情報を要求する旨を送信する手段と、
当該要求に応じて前記他情報処理装置から送信された認証要求に対して、認証情報を入力する手段と、
前記入力した認証情報を前記他情報処理装置に対して送信する手段と、
前記認証情報が前記他情報処理装置側で認証された場合に前記他情報処理装置から送信される表示情報を受信する手段と、
前記他情報処理装置から受信した表示情報を表示する表示手段と
を備えることを特徴とする情報処理装置。
【請求項６】
ネットワークを介して互いにデータ通信が可能な情報処理装置群のうち、当該ネットワークを介さずにデータ通信が可能な他情報処理装置とデータ通信が可能な情報処理装置であって、
前記他情報処理装置から表示情報を要求する旨を受信した場合には、前記他情報処理装置に対して、認証を要求する旨を送信する手段と、
前記認証要求に応じて前記他情報処理装置から送信された認証情報を受信する手段と、
前記認証情報を認証した場合には、前記他情報処理装置に対して表示情報を送信する手段と
を備えることを特徴とする情報処理装置。
【請求項７】
ネットワークを介して互いにデータ通信が可能な情報処理装置群と、当該情報処理装置群のうち１以上と前記ネットワークを介さずにデータ通信が可能な第１の情報処理装置とで構成されているシステムの制御方法であって、
前記情報処理装置群のうち、前記第１の情報処理装置とデータ通信が可能な第２の情報処理装置の制御方法は、
前記第１の情報処理装置から表示情報を要求する旨を受信した場合には、前記第１の情報処理装置に対して、認証を要求する旨を送信する工程と、
前記認証要求に応じて前記第１の情報処理装置から送信された認証情報を受信する工程と、
前記認証情報を認証した場合には、前記第１の情報処理装置に対して表示情報を送信する工程と
を備え、
前記第１の情報処理装置の制御方法は、
前記第２の情報処理装置に対して、表示情報を要求する旨を送信する工程と、
当該要求に応じて前記第２の情報処理装置から送信された認証要求に対して、認証情報を入力する工程と、
前記入力した認証情報を前記第２の情報処理装置に対して送信する工程と、
前記認証情報が前記第２の情報処理装置側で認証された場合に前記第２の情報処理装置から送信される表示情報を受信する工程と、
前記第２の情報処理装置から受信した表示情報を表示する表示工程と
を備えることを特徴とするシステムの制御方法。
【請求項８】
ネットワークを介して互いにデータ通信が可能な情報処理装置群のうち１以上とネットワークを介さずにデータ通信が可能な情報処理装置の制御方法であって、
前記情報処理装置群のうち、前記情報処理装置とデータ通信が可能な他情報処理装置に対して、表示情報を要求する旨を送信する工程と、
当該要求に応じて前記他情報処理装置から送信された認証要求に対して、認証情報を入力する工程と、
前記入力した認証情報を前記他情報処理装置に対して送信する工程と、
前記認証情報が前記他情報処理装置側で認証された場合に前記他情報処理装置から送信される表示情報を受信する工程と、
前記他情報処理装置から受信した表示情報を表示する表示工程と
を備えることを特徴とする情報処理装置の制御方法。
【請求項９】
ネットワークを介して互いにデータ通信が可能な情報処理装置群のうち、当該ネットワークを介さずにデータ通信が可能な他情報処理装置とデータ通信が可能な情報処理装置の制御方法であって、
前記他情報処理装置から表示情報を要求する旨を受信した場合には、前記他情報処理装置に対して、認証を要求する旨を送信する工程と、
前記認証要求に応じて前記他情報処理装置から送信された認証情報を受信する工程と、
前記認証情報を認証した場合には、前記他情報処理装置に対して要求された表示情報を送信する工程と
を備えることを特徴とする情報処理装置の制御方法。
【請求項１０】
コンピュータに請求項８又は９に記載の制御方法を実行させることを特徴とするプログラム。
【請求項１１】
請求項１０に記載のプログラムを格納したことを特徴とする、コンピュータ読み取り可能な記憶媒体。
【発明の詳細な説明】
【技術分野】
【０００１】
本発明は、情報のセキュリティー技術に関するものである。
【背景技術】
【０００２】
現在、ネットワーク上には様々な機器が接続され、相互にデータの交換や情報の共有などが行われている。このようなネットワークにおいては、機密性の高い情報の漏洩を防ぐために、厳格な機器認証や個人認証を用いることによって情報にアクセスできる対象を制限したり、コピーされた情報に対する著作権保護を可能としたりするものが存在する（特許文献１参照）。
【０００３】
一方、会議や打ち合わせを行う場合、ネットワークに接続する第１のディスプレイ装置と、そのネットワークに接続しない第２のディスプレイ装置が存在した場合、第１のディスプレイ装置が接続するネットワークで共有されているデータは、第１のディスプレイ装置のみ表示可能であり、第２のディスプレイ装置においては表示することはできない。そこで、表示画像を共有したい場合は、表示したいディスプレイ装置へデータを転送したり、１台のディスプレイ装置で画面を共有したりする。
【特許文献１】特開２００２−９７６３号公報
【発明の開示】
【発明が解決しようとする課題】
【０００４】
しかしながら、表示させたいディスプレイ装置へデータを転送する場合は、転送先のディスプレイ装置にデータが残ってしまうので情報の漏洩を考えると適さない。また、１台のディスプレイ装置で画面を共有する場合は、画面サイズが小さかったり人数が多かったりした場合に適さない。
【０００５】
本発明は以上の問題に鑑みてなされたものであり、装置間における表示情報の共有を、表示情報のセキュリティを保ったまま行うための技術を提供することを目的とする。
【課題を解決するための手段】
【０００６】
本発明の目的を達成するために、例えば、本発明のシステムは以下の構成を備える。
【０００７】
即ち、ネットワークを介して互いにデータ通信が可能な情報処理装置群と、当該情報処理装置群のうち１以上と前記ネットワークを介さずにデータ通信が可能な第１の情報処理装置とで構成されているシステムであって、
前記情報処理装置群のうち、前記第１の情報処理装置とデータ通信が可能な第２の情報処理装置は、
前記第１の情報処理装置から表示情報を要求する旨を受信した場合には、前記第１の情報処理装置に対して、認証を要求する旨を送信する手段と、
前記認証要求に応じて前記第１の情報処理装置から送信された認証情報を受信する手段と、
前記認証情報を認証した場合には、前記第１の情報処理装置に対して表示情報を送信する手段と
を備え、
前記第１の情報処理装置は、
前記第２の情報処理装置に対して、表示情報を要求する旨を送信する手段と、
当該要求に応じて前記第２の情報処理装置から送信された認証要求に対して、認証情報を入力する手段と、
前記入力した認証情報を前記第２の情報処理装置に対して送信する手段と、
前記認証情報が前記第２の情報処理装置側で認証された場合に前記第２の情報処理装置から送信される表示情報を受信する手段と、
前記第２の情報処理装置から受信した表示情報を表示する表示手段と
を備えることを特徴とする。
【０００８】
本発明の目的を達成するために、例えば、本発明の情報処理装置は以下の構成を備える。
【０００９】
即ち、ネットワークを介して互いにデータ通信が可能な情報処理装置群のうち１以上とネットワークを介さずにデータ通信が可能な情報処理装置であって、
前記情報処理装置群のうち、前記情報処理装置とデータ通信が可能な他情報処理装置に対して、表示情報を要求する旨を送信する手段と、
当該要求に応じて前記他情報処理装置から送信された認証要求に対して、認証情報を入力する手段と、
前記入力した認証情報を前記他情報処理装置に対して送信する手段と、
前記認証情報が前記他情報処理装置側で認証された場合に前記他情報処理装置から送信される表示情報を受信する手段と、
前記他情報処理装置から受信した表示情報を表示する表示手段と
を備えることを特徴とする。
【００１０】
本発明の目的を達成するために、例えば、本発明の情報処理装置は以下の構成を備える。
【００１１】
即ち、ネットワークを介して互いにデータ通信が可能な情報処理装置群のうち、当該ネットワークを介さずにデータ通信が可能な他情報処理装置とデータ通信が可能な情報処理装置であって、
前記他情報処理装置から表示情報を要求する旨を受信した場合には、前記他情報処理装置に対して、認証を要求する旨を送信する手段と、
前記認証要求に応じて前記他情報処理装置から送信された認証情報を受信する手段と、
前記認証情報を認証した場合には、前記他情報処理装置に対して表示情報を送信する手段と
を備えることを特徴とする。
【００１２】
本発明の目的を達成するために、例えば、本発明のシステムの制御方法は以下の構成を備える。
【００１３】
即ち、ネットワークを介して互いにデータ通信が可能な情報処理装置群と、当該情報処理装置群のうち１以上と前記ネットワークを介さずにデータ通信が可能な第１の情報処理装置とで構成されているシステムの制御方法であって、
前記情報処理装置群のうち、前記第１の情報処理装置とデータ通信が可能な第２の情報処理装置の制御方法は、
前記第１の情報処理装置から表示情報を要求する旨を受信した場合には、前記第１の情報処理装置に対して、認証を要求する旨を送信する工程と、
前記認証要求に応じて前記第１の情報処理装置から送信された認証情報を受信する工程と、
前記認証情報を認証した場合には、前記第１の情報処理装置に対して表示情報を送信する工程と
を備え、
前記第１の情報処理装置の制御方法は、
前記第２の情報処理装置に対して、表示情報を要求する旨を送信する工程と、
当該要求に応じて前記第２の情報処理装置から送信された認証要求に対して、認証情報を入力する工程と、
前記入力した認証情報を前記第２の情報処理装置に対して送信する工程と、
前記認証情報が前記第２の情報処理装置側で認証された場合に前記第２の情報処理装置から送信される表示情報を受信する工程と、
前記第２の情報処理装置から受信した表示情報を表示する表示工程と
を備えることを特徴とする。
【００１４】
本発明の目的を達成するために、例えば、本発明の情報処理装置の制御方法は以下の構成を備える。
【００１５】
即ち、ネットワークを介して互いにデータ通信が可能な情報処理装置群のうち１以上とネットワークを介さずにデータ通信が可能な情報処理装置の制御方法であって、
前記情報処理装置群のうち、前記情報処理装置とデータ通信が可能な他情報処理装置に対して、表示情報を要求する旨を送信する工程と、
当該要求に応じて前記他情報処理装置から送信された認証要求に対して、認証情報を入力する工程と、
前記入力した認証情報を前記他情報処理装置に対して送信する工程と、
前記認証情報が前記他情報処理装置側で認証された場合に前記他情報処理装置から送信される表示情報を受信する工程と、
前記他情報処理装置から受信した表示情報を表示する表示工程と
を備えることを特徴とする。
【００１６】
本発明の目的を達成するために、例えば、本発明の情報処理装置の制御方法は以下の構成を備える。
【００１７】
即ち、ネットワークを介して互いにデータ通信が可能な情報処理装置群のうち、当該ネットワークを介さずにデータ通信が可能な他情報処理装置とデータ通信が可能な情報処理装置の制御方法であって、
前記他情報処理装置から表示情報を要求する旨を受信した場合には、前記他情報処理装置に対して、認証を要求する旨を送信する工程と、
前記認証要求に応じて前記他情報処理装置から送信された認証情報を受信する工程と、
前記認証情報を認証した場合には、前記他情報処理装置に対して要求された表示情報を送信する工程と
を備えることを特徴とする。
【発明の効果】
【００１８】
本発明の構成により、装置間における表示情報の共有を、表示情報のセキュリティを保ったまま行うことができる。
【発明を実施するための最良の形態】
【００１９】
以下添付図面を参照して、本発明を好適な実施形態に従って詳細に説明する。
【００２０】
［第１の実施形態］
図１は、本実施形態に係るシステムの基本構成を示すブロック図である。同図に示す如く、本実施形態に係るシステムは、ネットワーク（ネットワークＡ）に接続されている装置群（サーバ装置１０１、ディスプレイ装置Ａ１０２、ディスプレイ装置Ｂ１０３、ディスプレイ装置Ｃ１０４、ディスプレイ装置Ｄ１０５、ディスプレイ装置Ｅ１０６）と、このネットワークＡには接続されていないものの、この装置群のうち１以上（同図ではディスプレイ装置Ｅ１０６）とデータ通信が可能な装置（同図ではディスプレイ装置Ｆ１０７）とで構成されている。
【００２１】
また、各ディスプレイ装置は、例えば一般のＰＣ（パーソナルコンピュータ）やＷＳ（ワークステーション）などのコンピュータで構成されており、それぞれのコンピュータは、画像や文字などが表示可能な表示装置を備えている。
【００２２】
ネットワークＡに接続されている各ディスプレイ装置はサーバ装置１０１とネットワークＡを介してデータ通信が可能であると共に、このサーバ装置１０１を介してディスプレイ装置間でもデータ通信が可能となっている。また、ネットワークＡに接続されているディスプレイ装置群のうち、ディスプレイ装置Ｅ１０６は、このネットワークＡに接続されていないディスプレイ装置Ｆ１０７とデータ通信が可能となっている。
【００２３】
なお、以下の説明は、ネットワークＡに接続されているディスプレイ装置の数、ネットワークＡに接続されていないディスプレイ装置の数、そして、ネットワークＡに接続されているディスプレイ装置のうち、ネットワークＡに接続されていないディスプレイ装置とデータ通信が可能なディスプレイ装置の数について、図１に示したものに限定するものではないということは、以下の説明により明らかである。
【００２４】
図２は、図１に示したそれぞれのディスプレイ装置に適用可能なコンピュータのハードウェア構成を示すブロック図である。
【００２５】
同図において、２０１はＣＰＵで、コンピュータ全体の制御を行うと共に、本コンピュータを適用したディスプレイ装置が行う後述の各処理を実行する。
【００２６】
２０２は表示制御部で、表示データをＤ／Ａ変換し、画像信号として表示装置２０３に出力するなど、表示装置２０３による表示を制御する。
【００２７】
２０３は表示装置で、ＣＲＴや液晶画面などにより構成されており、ＣＰＵ２０１による処理結果を画像や文字などでもって表示することができる。
【００２８】
２０４はメモリで、ＲＡＭ２０６、ＲＯＭ２０５により構成されている。ＲＡＭ２０６は、外部記憶装置２０８からロードされたプログラムやデータを一時的に記憶するためのエリア、ＣＰＵ２０１が各種の処理を実行する際に用いるワークエリア、通信装置２１０によって外部から受信したデータを一時的に記憶するためのエリアなど、各種のエリアを提供することができる。
【００２９】
また、ＲＡＭ２０６には、ＶＲＡＭ２０７が設けられており、周知の通り、ここにデータを書き込むことで、ＣＰＵ２０１は書き込んだデータに基づく画像を表示装置２０３の表示画面上に表示する。
【００３０】
ＲＯＭ２０５には、本コンピュータの設定データやブートプログラムなどが格納されている。
【００３１】
２０８は外部記憶装置で、ハードディスクドライブ装置に代表される大容量情報記憶装置であって、ここにＯＳ（オペレーティングシステム）や、本コンピュータを適用したディスプレイ装置が行う後述の各処理をＣＰＵ２０１に実行させるためのプログラムやデータ等が保存されており、これらはＣＰＵ２０１による制御に従ってＲＡＭ２０６にロードされ、ＣＰＵ２０１による処理対象となる。
【００３２】
２０９は通信制御部であって、通信装置２１０を制御することで、外部装置とのデータ通信を制御する。また、通信装置２１０によりデータを送信する場合にはこのデータを暗号化したり、通信装置２１０が暗号化されたデータを受信した場合にはこのデータを復号したりする。なお、データ通信の際のデータの暗号化／復号については必須ではない。
【００３３】
２１０は通信装置で、外部装置とのデータ通信を行う際のインターフェースとして機能する。
【００３４】
２１１は入力装置で、キーボードやマウスなどにより構成されており、本コンピュータの操作者が操作することで、各種の指示をＣＰＵ２０１に対して入力することができる。
【００３５】
次に、ディスプレイ装置Ｅ１０６が有する表示装置２０３に表示されている画像（以降の説明では「画像」なる文言にはテキストなどの文字情報も含まれているものとする）と同じものをディスプレイ装置Ｆ１０７が有する表示装置２０３にも表示させるべく、ディスプレイ装置Ｅ１０６、ディスプレイ装置Ｆ１０７のそれぞれが行う処理について、同処理のフローチャートを示す図３を用いて、説明する。
【００３６】
なお、同図に示す如く、ステップＳ３０１〜ステップＳ３１０はディスプレイ装置Ｅ１０６が行う処理のフローチャートである。よって、ステップＳ３０１〜ステップＳ３１０の各ステップにおける処理をディスプレイ装置Ｅ１０６に実行させるためのプログラムやデータは、ディスプレイ装置Ｅ１０６の外部記憶装置２０８に保存されており、これをディスプレイ装置Ｅ１０６のＣＰＵ２０１による制御に従ってディスプレイ装置Ｅ１０６のＲＡＭ２０６にロードし、ディスプレイ装置Ｅ１０６のＣＰＵ２０１等がこれを用いて処理を実行することで、ディスプレイ装置Ｅ１０６はステップＳ３０１〜ステップＳ３１０の各ステップにおける処理を実行することになる。
【００３７】
また、ステップＳ３１１〜ステップＳ３２３はディスプレイ装置Ｆ１０７が行う処理のフローチャートである。よって、ステップＳ３１１〜ステップＳ３２３の各ステップにおける処理をディスプレイ装置Ｆ１０７に実行させるためのプログラムやデータは、ディスプレイ装置Ｆ１０７の外部記憶装置２０８に保存されており、これをディスプレイ装置Ｆ１０７のＣＰＵ２０１による制御に従ってディスプレイ装置Ｆ１０７のＲＡＭ２０６にロードし、ディスプレイ装置Ｆ１０７のＣＰＵ２０１等がこれを用いて処理を実行することで、ディスプレイ装置Ｆ１０７はステップＳ３１１〜ステップＳ３２３の各ステップにおける処理を実行することになる。
【００３８】
また、ディスプレイ装置Ｅ１０６とディスプレイ装置Ｆ１０７との間のデータ通信は、ピアツーピアのようにサーバ装置を介さずに直接行う方式を想定しているが、通信方式はこの限りでない。
【００３９】
また、ディスプレイ装置Ｅ１０６、ディスプレイ装置Ｆ１０７は図４に示す如く、同じハードウェア構成を有しているものとして説明する。なお、それぞれの装置の構成は図２に示したものと同じである。
【００４０】
先ず、ディスプレイ装置Ｅ１０６の表示装置４０３の表示画面上にはある画像が表示されているものとするが、ディスプレイ装置Ｆ１０７の操作者が、表示装置４１４の表示画面上に同じものを表示させるべく、入力装置４２２を操作して表示要求を入力すると、ＣＰＵ４１２はこれを検知して、処理をステップＳ３１１からステップＳ３１２に進め、入力装置４２２からの操作が表示要求の旨の操作であったのかを判断し（ステップＳ３１２）、表示要求の旨の操作であった場合には処理をステップＳ３１３に進め、ＣＰＵ４１２は通信制御部４２０を制御して、表示要求の旨を通信装置４２１によってディスプレイ装置Ｅ１０６の通信装置４１０に送信する（ステップＳ３１３）。
【００４１】
ディスプレイ装置Ｅ１０６の通信制御部４０９は、表示要求の旨を通信装置４１０が受信したことを検知すると、検知した旨をＣＰＵ４０１に通知するので、処理をステップＳ３０１，Ｓ３０２を介してステップＳ３０３に進め、ＣＰＵ４０１は外部記憶装置４０８に保存されている「認証を行わせるための画面のデータ」をＲＡＭ４０６に読み出し、これを通信装置４１０を介してディスプレイ装置Ｆ１０７の通信装置４２１に送信する（ステップＳ３０３）。
【００４２】
ディスプレイ装置Ｅ１０６から送信されたデータは通信装置４２１を介してディスプレイ装置Ｆ１０７に入力されるので、ＣＰＵ４１２はこれをＲＡＭ４１７に格納する。そしてＣＰＵ４１２はこの受信したデータが、「認証を行わせるための画面データ」であるのかをチェックし（ステップＳ３１４）、この受信したデータが、「認証を行わせるための画面データ」では無い場合には処理をステップＳ３１５を介してステップＳ３１６に進め、所定時間（同図では３０秒間）はデータ受信を待機するのであるが、所定時間以上時間が経過した場合には処理をステップＳ３１６を介してステップＳ３１１に戻す。
【００４３】
一方、ディスプレイ装置Ｅ１０６から送信されたデータが「認証を行わせるための画面データ」である場合には、処理をステップＳ３１５を介してステップＳ３１７に進め、ＣＰＵ４１２は、この受信したデータに基づいた画面をＶＲＡＭ４１８上に描画するので、結果として、この受信したデータに基づく画面、即ち、認証を行わせるための画面が表示装置４１４の表示画面上に表示されることになる（ステップＳ３１７）。
【００４４】
よって、ディスプレイ装置Ｆ１０７の操作者は、入力装置４２２を用いて認証情報を入力するのであるが、認証情報の入力後、操作者が入力装置４２２を用いて入力が完了した旨の操作を入力すると、ＣＰＵ４１２はこれを検知して、入力した認証情報を通信装置４２１を介してディスプレイ装置Ｅ１０６に送信する（ステップＳ３１７）。
【００４５】
通信装置４１０に認証情報が入力されると、通信制御部４０９はこれをＣＰＵ４０１に通知するので、ＣＰＵ４０１はこれを一旦ＲＡＭ４０６に格納し、受信した情報が認証情報であるのかをチェックし（ステップＳ３０４）、認証情報でない場合には、処理をステップＳ３０５を介してステップＳ３０６に進め、所定時間はデータ受信を待機するのであるが、所定時間以上時間が経過した場合には処理をステップＳ３０１に戻す。
【００４６】
一方、受信した情報が認証情報である場合には処理をステップＳ３０５を介してステップＳ３０７に進め、認証情報に対する認証処理を行う（ステップＳ３０７）。ここでの認証処理は、ディスプレイ装置Ｅ１０６が予めディスプレイ装置Ｆ１０７によって管理しているディスプレイ装置であるかどうかを確認したり、パスワードでユーザを確認したり、ディスプレイ装置Ｆ１０７の表示機能がディスプレイ装置Ｅ１０６で表示している画像を表示できるかを確認したりする。照合は予めディスプレイ装置Ｅ１０６が管理するデータベースとの比較や、予めデータベースがない場合はディスプレイ装置Ｅ１０６を使用中のユーザーがディスプレイ装置Ｆに問い合わせた内容から直接判断してもよい。なお、認証情報に対する認証処理については周知の技術であるので、これに関する説明は省略する。
【００４７】
そして、認証情報が認証された（ディスプレイ装置Ｅ１０６が予め管理しているディスプレイ装置である、正規のユーザからのアクセスである、ディスプレイ装置Ｆ１０７の表示機能がディスプレイ装置Ｅ１０６で表示している画像を表示できる等）場合には処理をステップＳ３０８を介してステップＳ３１０に進め、現在表示装置４０３の表示画面上に表示している画像のデータを通信装置４１０を介してディスプレイ装置Ｆ１０７に送信する（ステップＳ３１０）。
【００４８】
一方、認証情報が認証されなかった場合には処理をステップＳ３０８を介してステップＳ３０９に進め、認証ができなっかた旨（認証エラー）を通信装置４１０を介してディスプレイ装置Ｆ１０７に送信する（ステップＳ３０９）。
【００４９】
ディスプレイ装置Ｆ１０７側では、ディスプレイ装置Ｅ１０６から送信されたデータが、表示画像のデータであるのかをチェックし（ステップＳ３１８）、表示画像のデータである場合には処理をステップＳ３１９を介してステップＳ３２３に進め、受信した画像データをＶＲＡＭ４１８に格納する（ステップＳ３２３）。これにより結果として、表示装置４１４の表示画面上には、受信した表示画像データに従った画像、即ち、表示装置４０３に表示されたものと同じものが表示されることになる。
【００５０】
一方、ディスプレイ装置Ｅ１０６から送信されたデータが表示画像のデータではない場合には処理をステップＳ３１９を介してステップＳ３２０に進め、認証エラーのデータであるのかをチェックし（ステップＳ３２０）、認証エラーではない場合には所定時間（同図では３０秒間）はデータ受信を待機するのであるが、所定時間以上時間が経過した場合には処理をステップＳ３２１を介してステップＳ３２２に進め、表示装置４１４の表示画面上にエラー表示を行う（ステップＳ３２２）。
【００５１】
また、ディスプレイ装置Ｅ１０６から送信されたデータが認証エラーのデータである場合には処理をステップＳ３２０を介してステップＳ３２２に進め、表示装置４１４の表示画面上にエラー表示を行う（ステップＳ３２２）。
【００５２】
以上の処理により、ディスプレイ装置Ｆ１０７（若しくはその操作者）が認証された場合にのみ、ディスプレイ装置Ｅ１０６は表示装置４０３に表示している画像のデータをディスプレイ装置Ｆ１０７に送信するので、ネットワークに接続されている装置が有する表示装置に表示している画像のデータを、このネットワークに接続していない装置のうち、認証された装置に対してのみ送信することになり、結果として、表示画像に対するセキュリティーを維持したまま、ネットワークに接続されている装置が有する表示装置に表示している画像を、ネットワークに接続されていない装置に対しても表示することができ、それぞれの装置で、同じ画像を共有して閲覧することができる。
【００５３】
図４は、ディスプレイ装置Ｅ１０６、ディスプレイ装置Ｆ１０７のそれぞれのハードウェア構成を示すと共に、それぞれの装置で同じ画像を表示する際のデータの流れを示す図である。
【００５４】
同図において４２３は画像や文字など、表示対象となるオブジェクトが含まれている静止画像、若しくはこのような静止画像を各フレームに有する動画像のデータのファイルである。
【００５５】
４２４、４２５は、ファイル４２３を表示装置４０３、４１４において表示するために展開したラスタデータである。
【００５６】
ディスプレイ装置Ｅ１０６の外部記憶装置４０８に保存されているファイル４２３の画像を表示装置４０３、４１４に表示するために、ファイル４２３をディスプレイ装置Ｅ１０６のＶＲＡＭ４０７にラスタ４２４として展開する際に、このラスタ４２４と同じデータ４２５を通信装置４１０からディスプレイ装置Ｆ１０７に送信する。
【００５７】
ディスプレイ装置Ｆ１０７は、通信装置４２１から受信したラスタ４２５をＶＲＡＭ４１８に格納することで、ディスプレイ装置Ｅ１０６の表示装置４０３に表示されている画像と同様の画像を表示装置４１４の表示画面上に表示することができる。
【００５８】
また、ディスプレイ装置Ｅ１０６からディスプレイ装置Ｆ１０７に対してラスタを送信する際、ディスプレイ装置Ｅ１０６においてはＣＰＵ４１２を経由せず、それぞれの通信装置でもって直接画像データをＶＲＡＭ４１８に書き込む。
【００５９】
本実施形態では、通信制御部４２０からＶＲＡＭ４１８までＤＭＡ転送モードなどを利用して直接画像データを書き込んだり、ディスプレイ装置Ｅ１０６から画像データが送信されてくる場合は、ＣＰＵ４１２はＶＲＡＭ４１８にアクセスできなくしたりするなど考えているが、ディスプレイ装置Ｆ１０７においてディスプレイ装置Ｅ１０６で表示中の画像データが外部記憶装置４１９やＲＡＭ４１８に残らなければ、この手段に限らない。
【００６０】
その際、ＶＲＡＭ４１８に格納されるラスタ４２５は一定間隔で上書きされ、ディスプレイ装置Ｅ１０６との接続が切断されると、同時に表示装置４１４に表示される画像は更新されず、表示装置４０３と同様の画像を表示することはできなくなる。
【００６１】
図５は、図３で示した処理後（表示画像データ転送開始後）にディスプレイ装置Ｅ１０６からディスプレイ装置Ｆ１０７への表示画像データ転送を停止する際に、ディスプレイ装置Ｅ１０６、ディスプレイ装置Ｆ１０７のそれぞれが行う処理のフローチャートである。
【００６２】
なお、同図に示す如く、ステップＳ５０１〜ステップＳ５０８はディスプレイ装置Ｅ１０６が行う処理のフローチャートである。よって、ステップＳ５０１〜ステップＳ５０８の各ステップにおける処理をディスプレイ装置Ｅ１０６に実行させるためのプログラムやデータは、ディスプレイ装置Ｅ１０６の外部記憶装置２０８に保存されており、これをディスプレイ装置Ｅ１０６のＣＰＵ２０１による制御に従ってディスプレイ装置Ｅ１０６のＲＡＭ２０６にロードし、ディスプレイ装置Ｅ１０６のＣＰＵ２０１等がこれを用いて処理を実行することで、ディスプレイ装置Ｅ１０６はステップＳ５０１〜ステップＳ５０８の各ステップにおける処理を実行することになる。
【００６３】
また、ステップＳ５０９〜ステップＳ５１７はディスプレイ装置Ｆ１０７が行う処理のフローチャートである。よって、ステップＳ５０９〜ステップＳ５１７の各ステップにおける処理をディスプレイ装置Ｆ１０７に実行させるためのプログラムやデータは、ディスプレイ装置Ｆ１０７の外部記憶装置２０８に保存されており、これをディスプレイ装置Ｆ１０７のＣＰＵ２０１による制御に従ってディスプレイ装置Ｆ１０７のＲＡＭ２０６にロードし、ディスプレイ装置Ｆ１０７のＣＰＵ２０１等がこれを用いて処理を実行することで、ディスプレイ装置Ｆ１０７はステップＳ５０９〜ステップＳ５１７の各ステップにおける処理を実行することになる。
【００６４】
先ず、ＣＰＵ４０１は、外部記憶装置４０８に保存されている表示画像データをＲＡＭ４１８にロードし、ロードしたファイルのデータをラスターデータに変換し、変換したラスターデータに基づいてＶＲＡＭ４０７に画像を描画するのであるが、このラスターデータを通信制御部４０９に出力する（ステップＳ５０２）。そして通信制御部４０９は、このラスターデータを、このラスターデータを要求した装置（本実施形態ではディスプレイ装置Ｆ１０７）に対して送信する（ステップＳ５０３）。
【００６５】
通信制御部４２０は、ディスプレイ装置Ｆ１０７の通信装置４２１に入力されたデータがラスターデータであるのかをチェックし（ステップＳ５０９）、ラスターデータではない場合には処理をステップＳ５１０を介してステップＳ５０９に戻し、データの受信を待機するのであるが、受信したデータがラスターデータである場合には処理をステップＳ５１０を介してステップＳ５１１に進め、受信したラスターデータを、例えばＤＭＡ転送でもってＶＲＡＭ４１８に直接書き込む（ステップＳ５１１）。
【００６６】
表示制御部４１３はＶＲＡＭ４１８に書き込まれたデータをＤ／Ａ変換し、このデータに基づく画像信号を表示装置４１４に出力するので（ステップＳ５１２）、表示装置４１４の表示画面上には、ディスプレイ装置Ｅ１０６から送信されたラスターデータに基づく画像（表示装置４０３に表示されている画像）が表示されることになる。
【００６７】
次に、ディスプレイ装置Ｆ１０７の操作者が、入力装置４２２を操作して、表示画像データの転送を中断する旨の指示を入力し、ＣＰＵ４１２がこれを検知すると、処理をステップＳ５１３、Ｓ５１４を介してステップＳ５１７に進め、表示画像データの転送中断の旨を通信制御部４２０によってディスプレイ装置Ｅ１０６に送信する（ステップＳ５１７）。
【００６８】
一方、入力装置４２２を用いた操作が、表示画像データの転送中断の旨を送信する為の操作ではない場合には処理をステップＳ５１３，Ｓ５１４を介してステップＳ５１５に進め、通信制御部４２０は、ディスプレイ装置Ｅ１０６とディスプレイ装置Ｆ１０７との現在の通信状態を確認し（ステップＳ５１５）、接続が維持されている場合には処理をステップＳ５１６を介してステップＳ５１１に進めるが、維持されていない場合には処理をステップＳ５１６を介してステップＳ５１７に進める。
【００６９】
一方、ディスプレイ装置Ｅ１０６側では、通信制御部４１０がデータを受信した場合にはこのデータが、表示画像データの転送中断の旨を示すものであるのかをチェックし（ステップＳ５０４）、表示画像データの転送中断の旨を示すものである場合には処理をステップＳ５０５を介してステップＳ５０８に進め、通信制御部４２０は、表示画像データの転送を中断する（ステップＳ５０８）。ここで、転送を突然中断した場合はディスプレイ装置Ｆ１０７の表示画像はそれ以上更新されないが、表示画像はそのままの状態となってしまう。そこで、中断する際に、ディスプレイ装置Ｆ１０７のＶＲＡＭ４１８をクリアするようなデータを送るようにしてもよい。
【００７０】
一方、通信制御部４１０が受信したデータが、表示画像データの転送中断の旨を示すものではない場合には処理をステップＳ５０５を介してステップＳ５０６に進め、通信制御部４１０は、ディスプレイ装置Ｅ１０６とディスプレイ装置Ｆ１０７との現在の通信状態を確認し（ステップＳ５０６）、接続が維持されている場合には処理をステップＳ５０７を介してステップＳ５０２に進めるが、維持されていない場合には処理をステップＳ５０７を介してステップＳ５０８に進める。
【００７１】
以上の説明により、本実施形態によって、ネットワークＡに接続されたディスプレイ装置Ｅ１０６と、ネットワークＡに接続しないディスプレイ装置Ｆ１０７は、ディスプレイ装置Ｅ１０６とディスプレイ装置Ｆ１０７の間でセキュリティレベルの認証が行え、それぞれの装置間で通信が確立している間に限り、それぞれの装置に同じ画像を表示することが可能となるので、セキュリティを保ったまま、情報の共有を行うことが可能となる。
【００７２】
また、本実施形態では表示画像データは、ディスプレイ装置Ｅ１０６が備える外部記憶装置４０８内に保存されているとしたが、これに限定するものではなく、例えば、サーバ装置１０１内に保存させておき、ディスプレイ装置Ｅ１０６が必要なときのみサーバ装置１０１からディスプレイ装置Ｅ１０６にダウンロードするようにしても良い。
【００７３】
［第２の実施形態］
本実施形態では、ディスプレイ装置Ｅ１０６からディスプレイ装置Ｆ１０７に対して画像表示が可能であることを伝えた後に、認証処理、表示画像データの転送処理を開始する。
【００７４】
なお、本実施形態に適用するシステム、及びそれぞれの装置の構成については第１の実施形態と同じであるとする。
【００７５】
図６は、ディスプレイ装置Ｅ１０６が有する表示装置２０３に表示されている画像と同じものをディスプレイ装置Ｆ１０７が有する表示装置２０３にも表示させるべく、ディスプレイ装置Ｅ１０６、ディスプレイ装置Ｆ１０７のそれぞれが行う処理のフローチャートである。
【００７６】
なお、同図に示す如く、ステップＳ６０１〜ステップＳ６１４はディスプレイ装置Ｅ１０６が行う処理のフローチャートである。よって、ステップＳ６０１〜ステップＳ６１４の各ステップにおける処理をディスプレイ装置Ｅ１０６に実行させるためのプログラムやデータは、ディスプレイ装置Ｅ１０６の外部記憶装置２０８に保存されており、これをディスプレイ装置Ｅ１０６のＣＰＵ２０１による制御に従ってディスプレイ装置Ｅ１０６のＲＡＭ２０６にロードし、ディスプレイ装置Ｅ１０６のＣＰＵ２０１等がこれを用いて処理を実行することで、ディスプレイ装置Ｅ１０６はステップＳ６０１〜ステップＳ６１４の各ステップにおける処理を実行することになる。
【００７７】
また、ステップＳ６１５〜ステップＳ６３０はディスプレイ装置Ｆ１０７が行う処理のフローチャートである。よって、ステップＳ６１５〜ステップＳ６３０の各ステップにおける処理をディスプレイ装置Ｆ１０７に実行させるためのプログラムやデータは、ディスプレイ装置Ｆ１０７の外部記憶装置２０８に保存されており、これをディスプレイ装置Ｆ１０７のＣＰＵ２０１による制御に従ってディスプレイ装置Ｆ１０７のＲＡＭ２０６にロードし、ディスプレイ装置Ｆ１０７のＣＰＵ２０１等がこれを用いて処理を実行することで、ディスプレイ装置Ｆ１０７はステップＳ６１５〜ステップＳ６３０の各ステップにおける処理を実行することになる。
【００７８】
先ず、ディスプレイ装置Ｅ１０６の操作者が、表示装置４０３の表示画面上に表示されている画像のデータをディスプレイ装置Ｆ１０７に転送可能である旨を入力装置４１１を用いて入力すると、ＣＰＵ４０１はこれを検知し、処理をステップＳ６０１，Ｓ６０２を介してステップＳ６０３に進め、表示画像データが転送可能である旨（画像表示可能信号）を通信装置４１０によってディスプレイ装置Ｆ１０７に送信する（ステップＳ６０３）。
【００７９】
ディスプレイ装置Ｆ１０７のＣＰＵ４０１はこの信号を受信後、この信号が表示画像データが転送可能である旨を示しているのかをチェックし（ステップＳ６１５）、示している場合には処理をステップＳ６１６を介してステップＳ６１７に進める。そして、ディスプレイ装置Ｆ１０７の操作者が、表示装置４１４の表示画面上に同じものを表示させるべく、入力装置４２２を操作して表示要求を入力すると、ＣＰＵ４１２はこれを検知して、入力装置４２２からの操作が表示要求の旨の操作であったのかを判断し（ステップＳ６１７）、表示要求の旨の操作ではない場合には処理をステップＳ６１８を介してステップＳ６１９に進め、所定時間（同図では３０秒間）は操作入力を待機するのであるが、所定時間以上時間が経過した場合には処理をステップＳ６１５に戻す。
【００８０】
一方、表示要求の旨の操作であった場合には処理をステップＳ６１８を介してステップＳ６２０に進め、ＣＰＵ４１２は通信制御部４２０を制御して、表示要求の旨を通信装置４２１によってディスプレイ装置Ｅ１０６の通信装置４１０に送信する（ステップＳ６２０）。
【００８１】
ディスプレイ装置Ｅ１０６の通信制御部４０９は、表示要求の旨を通信装置４１０が受信したことを検知すると、検知した旨をＣＰＵ４０１に通知するので、処理をステップＳ６０４，Ｓ６０５を介してステップＳ６０７に進め、ＣＰＵ４０１は外部記憶装置４０８に保存されている「認証を行わせるための画面のデータ」をＲＡＭ４０６に読み出し、これを通信装置４１０を介してディスプレイ装置Ｆ１０７の通信装置４２１に送信する（ステップＳ６０７）。一方、ディスプレイ装置Ｆ１０７から受信したデータが、表示要求の旨を示すものではない場合には、処理をステップＳ６０５を介してステップＳ６０６に進め、所定時間（同図では３０秒間）はデータ受信を待機するのであるが、所定時間以上時間が経過した場合には処理をステップＳ６０１に戻す。
【００８２】
ディスプレイ装置Ｅ１０６から送信されたデータは通信装置４２１を介してディスプレイ装置Ｆ１０７に入力されるので、ＣＰＵ４１２はこれをＲＡＭ４１７に格納する。そしてＣＰＵ４１２はこの受信したデータが、「認証を行わせるための画面データ」であるのかをチェックし（ステップＳ６２１）、この受信したデータが、「認証を行わせるための画面データ」では無い場合には処理をステップＳ６２２を介してステップＳ６２３に進め、所定時間（同図では３０秒間）はデータ受信を待機するのであるが、所定時間以上時間が経過した場合には処理をステップＳ６１５に戻す。
【００８３】
一方、ディスプレイ装置Ｅ１０６から送信されたデータが「認証を行わせるための画面データ」である場合には、処理をステップＳ６２２を介してステップＳ６２４に進め、ＣＰＵ４１２は、この受信したデータに基づいた画面をＶＲＡＭ４１８上に描画するので、結果として、この受信したデータに基づく画面、即ち、認証を行わせるための画面が表示装置４１４の表示画面上に表示されることになる（ステップＳ６２４）。
【００８４】
よって、ディスプレイ装置Ｆ１０７の操作者は、入力装置４２２を用いて認証情報を入力するのであるが、認証情報の入力後、操作者が入力装置４２２を用いて入力が完了した旨の操作を入力すると、ＣＰＵ４１２はこれを検知して、入力した認証情報を通信装置４２１を介してディスプレイ装置Ｅ１０６に送信する（ステップＳ６２４）。
【００８５】
通信装置４１０に認証情報が入力されると、通信制御部４０９はこれをＣＰＵ４０１に通知するので、ＣＰＵ４０１はこれを一旦ＲＡＭ４０６に格納し、受信した情報が認証情報であるのかをチェックし（ステップＳ６０８）、認証情報でない場合には、処理をステップＳ６０９を介してステップＳ６１０に進め、所定時間はデータ受信を待機するのであるが、所定時間以上時間が経過した場合には処理をステップＳ６０１に戻す。
【００８６】
一方、受信した情報が認証情報である場合には処理をステップＳ６０９を介してステップＳ６１１に進め、認証情報に対する認証処理を行う（ステップＳ６１１）。ここでの認証処理は、第１の実施形態と同様である。
【００８７】
そして、認証情報が認証された（ディスプレイ装置Ｅ１０６が予め管理しているディスプレイ装置である、正規のユーザからのアクセスである、ディスプレイ装置Ｆ１０７の表示機能がディスプレイ装置Ｅ１０６で表示している画像を表示できる等）場合には処理をステップＳ６１２を介してステップＳ６１４に進め、現在表示装置４０３の表示画面上に表示している画像のデータを通信装置４１０を介してディスプレイ装置Ｆ１０７に送信する（ステップＳ６１４）。
【００８８】
一方、認証情報が認証されなかった場合には処理をステップＳ６１２を介してステップＳ６１３に進め、認証ができなっかた旨（認証エラー）を通信装置４１０を介してディスプレイ装置Ｆ１０７に送信する（ステップＳ６１３）。
【００８９】
ディスプレイ装置Ｆ１０７側では、ディスプレイ装置Ｅ１０６から送信されたデータが、表示画像のデータであるのかをチェックし（ステップＳ６２５）、表示画像のデータである場合には処理をステップＳ６２６を介してステップＳ６３０に進め、受信した画像データをＶＲＡＭ４１８に格納する（ステップＳ６３０）。これにより結果として、表示装置４１４の表示画面上には、受信した表示画像データに従った画像、即ち、表示装置４０３に表示されたものと同じものが表示されることになる。
【００９０】
一方、ディスプレイ装置Ｅ１０６から送信されたデータが表示画像のデータではない場合には処理をステップＳ６２６を介してステップＳ６２７に進め、認証エラーのデータであるのかをチェックし（ステップＳ６２７）、認証エラーではない場合には所定時間（同図では３０秒間）はデータ受信を待機するのであるが、所定時間以上時間が経過した場合には処理をステップＳ６２８を介してステップＳ６２９に進め、表示装置４１４の表示画面上にエラー表示を行う（ステップＳ６２９）。
【００９１】
また、ディスプレイ装置Ｅ１０６から送信されたデータが認証エラーのデータである場合には処理をステップＳ６２７を介してステップＳ６２９に進め、表示装置４１４の表示画面上にエラー表示を行う（ステップＳ６２９）。
【００９２】
［第３の実施形態］
本実施形態では、表示画像データを送信する側で、表示画像データの管理を行う。本実施形態では送信する側としてディスプレイ装置Ｅ１０６を例に取り説明する。
【００９３】
本実施形態では図４において、ディスプレイ装置Ｅ１０６の外部記憶装置４０８に格納されたファイル４２３の画像をディスプレイ装置Ｅ１０６、ディスプレイ装置Ｆ１０７に表示するために、ファイル４２３に基づくラスターデータをディスプレイ装置Ｅ１０６のＶＲＡＭ４０７状に格納すると共に、通信装置４１０からディスプレイ装置Ｆ１０７に送信する。
【００９４】
ただし、通信制御部４０９において、ディスプレイ装置Ｆ１０７に送信するタイミングを制御する。ディスプレイ装置Ｆ１０７は、通信装置４２１から受信したラスタ４２５をＶＲＡＭ４１８に格納することで、表示装置４１４にディスプレイ装置Ｅ１０６の表示装置４０３に表示されているのと同様の画像を表示することができる。
【００９５】
また、ＶＲＡＭ４１８に格納されるラスタ４２５は、ディスプレイ装置Ｅ１０６から送信されてくる表示データで更新され、ディスプ装置Ｅ１０６からの通信が切断されると、表示装置４１４に表示装置４０３と同様の画像を表示することはできなくなる。
【００９６】
［第４の実施形態］
本実施形態では、表示画像データを送信する際に、送信先に対して予め決めたセキュリティーレベルに応じて、画像サイズを異ならせる。
【００９７】
図７は、表示画像データの送信先に予め定めたセキュリティーレベルに応じて、送信先に送信する画像サイズを決定する為のテーブルの構成例を示す図である。
【００９８】
同図に示す如く、表示画像データの送信先としての装置毎には、予めセキュリティーレベルが設定されていると共に、それぞれのセキュリティーレベルには、送信する画像のサイズが定義されている。例えば同図のテーブルでは、ディスプレイ装置Ｇに対するセキュリティーレベルは「セキュリティー２」が設定されており、セキュリティーレベル２の装置に対して送信する画像サイズが「８００×６００（画素）」と予め決められている。
【００９９】
なお、同図のテーブルでは、１つのセキュリティーレベルに対して１つの画像サイズを定義しているが、これに限定するものではなく、複数の画像サイズを定義しても良いし、ある範囲でもって定義するようにしても良い。なお、同図のようなテーブルデータは、ネットワークＡに接続されているディスプレイ装置のうち、ネットワークＡに接続されていないディスプレイ装置とデータ通信が可能なディスプレイ装置が有する外部記憶装置に保存されており、適宜ＲＡＭにロードして参照することができる。
【０１００】
図８は、図１のシステムに更に、ネットワークＡに接続されていないディスプレイ装置を２個追加した構成を有するシステムの構成を示すブロック図である。このように、ネットワークＡに接続されていないディスプレイ装置が複数個存在する場合、この複数個のうち１以上に対してディスプレイ装置Ｅ１０６（当然、ネットワークＡに接続されている装置であれば他の装置であっても良い）が表示画像データ送信する場合には、その前段で、図７に示したテーブルを参照し、どのディスプレイ装置から表示画像データの送信要求を受けたのかに応じて、送信すべき画像のサイズを特定し、特定したサイズの表示画像データを外部記憶装置４０８から読み出して送信先のディスプレイ装置に対して送信する。
【０１０１】
これにより、設定したセキュリティーレベルに応じた画像を配信することができる。なお、図７のテーブルでは、セキュリティーレベルに応じて画像サイズを異ならせているが、異ならせる対象はこれに限定するものではなく、例えばセキュリティーレベルに応じて、カラー画像／モノクロ画像、解像度、色数等を異ならせるようにしても良い。
【０１０２】
［第５の実施形態］
本実施形態では、図７に示したテーブルにおいて、それぞれのディスプレイ装置に対するセキュリティーレベルをその装置との通信回数、通信時間、通信距離等に応じて、変更する。
【０１０３】
図９は、図７に示したテーブルにおいて、それぞれのディスプレイ装置Ｆ、Ｇ、Ｈのセキュリティーレベルを変更した後のテーブルを示す図である。同図において、それぞれの装置に対するセキュリティーレベルは変更されている。この変更は、テーブルを保持する装置のＣＰＵが、それぞれのディスプレイ装置との通信回数、通信時間、通信距離に応じて行うようにしても良い。例えば、通信回数が多いほど、通信時間が長いほど、通信距離が長いほど、セキュリティーレベルを上げるようにする。
【０１０４】
また、このような変更は、適宜、テーブルを保持する装置の操作者が入力装置を用いて変更するようにしても良い。
【０１０５】
［その他の実施形態］
また、本発明の目的は、前述した実施形態の機能を実現するソフトウェアのプログラムコードを記録した記録媒体（または記憶媒体）を、システムあるいは装置に供給し、そのシステムあるいは装置のコンピュータ（またはＣＰＵやＭＰＵ）が記録媒体に格納されたプログラムコードを読み出し実行することによっても、達成されることは言うまでもない。この場合、記録媒体から読み出されたプログラムコード自体が前述した実施形態の機能を実現することになり、そのプログラムコードを記録した記録媒体は本発明を構成することになる。
【０１０６】
また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。
【０１０７】
さらに、記録媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【０１０８】
本発明を上記記録媒体に適用する場合、その記録媒体には、先に説明したフローチャートに対応するプログラムコードが格納されることになる。
【図面の簡単な説明】
【０１０９】
【図１】本発明の第１の実施形態に係るシステムの基本構成を示すブロック図である。
【図２】図１に示したそれぞれのディスプレイ装置に適用可能なコンピュータのハードウェア構成を示すブロック図である。
【図３】ディスプレイ装置Ｅ１０６が有する表示装置２０３に表示されている画像と同じものをディスプレイ装置Ｆ１０７が有する表示装置２０３にも表示させるべく、ディスプレイ装置Ｅ１０６、ディスプレイ装置Ｆ１０７のそれぞれが行う処理のフローチャートである。
【図４】ディスプレイ装置Ｅ１０６、ディスプレイ装置Ｆ１０７のそれぞれのハードウェア構成を示すと共に、それぞれの装置で同じ画像を表示する際のデータの流れを示す図である。
【図５】図３で示した処理後（表示画像データ転送開始後）にディスプレイ装置Ｅ１０６からディスプレイ装置Ｆ１０７への表示画像データ転送を停止する際に、ディスプレイ装置Ｅ１０６、ディスプレイ装置Ｆ１０７のそれぞれが行う処理のフローチャートである。
【図６】ディスプレイ装置Ｅ１０６が有する表示装置２０３に表示されている画像と同じものをディスプレイ装置Ｆ１０７が有する表示装置２０３にも表示させるべく、ディスプレイ装置Ｅ１０６、ディスプレイ装置Ｆ１０７のそれぞれが行う処理のフローチャートである。
【図７】表示画像データの送信先に予め定めたセキュリティーレベルに応じて、送信先に送信する画像サイズを決定する為のテーブルの構成例を示す図である。
【図８】図１のシステムに更に、ネットワークＡに接続されていないディスプレイ装置を２個追加した構成を有するシステムの構成を示すブロック図である。
【図９】図７に示したテーブルにおいて、それぞれのディスプレイ装置Ｅ、Ｆ、Ｇのセキュリティーレベルを変更した後のテーブルを示す図である。
【図１】
2006277342.tif 000003
【図２】
2006277342.tif 000004
【図３】
2006277342.tif 000005
【図４】
2006277342.tif 000006
【図５】
2006277342.tif 000007
【図６】
2006277342.tif 000008
【図７】
2006277342.tif 000009
【図８】
2006277342.tif 000010
【図９】
2006277342.tif 000011